(57)【要約】  本発明は、患部に陰イオンが集中的に照射されるようにして、速やかに患部が治癒できるようにするが、患者の体が接地による静電気誘導状態になるようにし、この状態で、患部に陰イオンが照射されると陰イオン電荷が直進性を持って患者の体方向に誘導されることによって、空気中の陽イオンによる陰イオンの損失量が最小化され、患部に向かう照射量は最大になって、その効果が優れ、低出力光線の青色波長の光が照射される低出力光照射レンズが備えられて、肌の殺菌のような体に有益な効果が発揮され、皮膚移植やその他皮膚再生医薬品に比べて、その使用及び施術手順が簡単な陰イオンを利用した集中治療装置に関するものである。
2020503940.tif 000002
【特許請求の範囲】
【請求項１】
内部にはメインボード（１１００）が装着され、前面にはタッチスクリーン（１２０００）が備えられ、下側にはキャスター（１３０００）が設置される本体部（１０００）と、
前記本体の一側にアームヒンジ（２２００）によって移動可能に連結され、前記メインボード（１１００）と電気的に接続される陰イオン発生ユニット（２１００）が動作可能に内設されるヘッド部（２０００）と、
前記ヘッド部（２０００）の一側に角度調節可能に連結され、前記陰イオン発生ユニット（２１００）と電気的に接続されて、前記陰イオン発生ユニット（２１００）から発生されたイオンがその端部を通じて外部に照射されるようにする陰イオン照射部（３０００）と、
前記陰イオン発生ユニット（２１００）と電気的に接続され、患者の体の一部に電気的に接地され、体の接地による静電気誘導現象により前記陰イオン照射部（３０００）から照射される陰イオンの空気中の損失量は最小化され、患者の体の部位への照射量は最大になるようにする体接地装置（４０００）と、が含まれる陰イオンを利用した集中治療装置。
【請求項２】
前記陰イオン発生ユニット（２１００）は、
端子台パネル（２１１０）と、
前記端子台パネル（２１１０）に実装され、陰イオンが発生される複数の陰イオンモジュール（２１２０）と、が含まれ、
前記陰イオンモジュール（２１２０）は、前記メインボード（１１００）と電源の供給が可能に接続され、前記陰イオン照射部（３０００）と陰イオンの供給が可能に接続され、前記体接地装置（４０００）と体の接地可能に接続されることを特徴とする請求項1に記載の陰イオンを利用した集中治療装置。
【請求項３】
陰イオンモジュール（２１２０）は、
電源電圧を利用して発振及び増幅動作して前記入力電圧を生成し、前記生成した入力電圧を前記変圧器に提供する発振部（２１２１）と、
入力電圧を昇圧させて出力する変圧器（２１２２）と、
前記変圧器の出力側の一端と体に接触する電極を電気的に接続する接地部（２１２３）と、
前記変圧器の出力側の両端に電気的に接続されて構成され、前記変圧器の昇圧電圧を高電圧に変換して出力側（ＨＶ）を通じて陰イオン照射針（３２１０）に提供する高電圧発生部（２１２４）と、を含むことを特徴とする請求項２に記載の陰イオンを利用した集中治療装置。
【請求項４】
前記接地部（２１２３）は、
一側端子が前記出力側一端に連結される整流素子と、
前記整流素子の他側端子及び前記電極に連結される接地端子と、を含むことを特徴とする請求項３に記載の陰イオンを利用した集中治療装置。
【請求項５】
前記高電圧発生部（２１２４）は、前記変圧器の出力側の両端電圧を倍電圧及び整流させる倍電圧整流回路を含むことを特徴とする請求項３に記載の陰イオンを利用した集中治療装置。
【請求項６】
前記陰イオン照射部（３０００）は、
前記ヘッド部（２０００）側にベローズ管方式で角度調節可能に連結される一対の連結部材（３１００）と、
前記一対の連結部材（３１００）の端部にそれぞれ設置され、陰イオンが照射される照射部材（３２００）と、が含まれることを特徴とする請求項２に記載の陰イオンを利用した集中治療装置。
【請求項７】
前記照射部材（３２００）は、
前記一対の照射部材（３２００）の下部面に突出して備えられるが、陰イオン発生ユニット（２１００）の数に対応する数で備えられ、前記陰イオン発生ユニット（２１００）とそれぞれ電気的に接続され、先端が尖った針状に製造され、その端部を通じて陰イオンが照射される陰イオン照射針（３２１０）と、
前記一対の照射部材（３２００）の下部面に点滅可能に備えられるが、青色波長の光が照射される低出力光照射レンズ（３２２０）と、
前記一対の照射部材（３２００）の下部面に突出して備えられるが、前記陰イオン照射針（３２１０）よりも長く形成されて、その端部が患者の体の部位に接触された場合、前記陰イオンを利用した集中治療装置（１）の動作が遮断されるようにするセンサー（３２３０）と、が含まれることを特徴とする請求項６に記載の陰イオンを利用した集中治療装置。
【請求項８】
前記複数の陰イオンモジュール（２１２０）の中で前記陰イオンモジュール（２１２０）の半分は、一側の前記陰イオン照射針（３２１０）と電気的に接続され、前記陰イオンモジュール（２１２０）の残り半分は他側の前記陰イオン照射針（３２１０）と電気的に接続されるが、一側の前記陰イオン照射針（３２１０）と電気的に接続された前記陰イオンモジュール（２１２０）と、他側の前記陰イオン照射針（３２１０）と電気的に接続された前記陰イオンモジュール（２１２０）は、それぞれ独立的に前記体接地装置（４０００）と電気的に接続されることを特徴とする請求項７に記載の陰イオンを利用した集中治療装置。
【発明の詳細な説明】
【技術分野】
【０００１】
本発明は、陰イオンを利用した集中治療装置に関するもので、より詳細には、患部に陰イオンが集中的に照射されるようにして、速やかに患部が治癒できるようにするが、患者の体が接地による静電気誘導状態になるようにし、この状態で、患部に陰イオンが照射されると、陰イオン電荷が直進性を持って患者の体の方向に誘導されることによって、空気中の陽イオンによる陰イオンの損失量が最小化され、患部に向かう照射量は最大になって、その効果が優れ、低出力光線の青色波長の光が照射される低出力光照射レンズが備えられて、肌の殺菌のように体に有益な効果が発揮され、皮膚移植やその他皮膚再生医薬品に比べて、その使用及び施術手順が簡単な陰イオンを利用した集中治療装置に関するものである。
【背景技術】
【０００２】
通常、医学界では、傷に一定量の電流や超音波を流すと、傷の治療に役に立つと知られており、関連装備も既に供給されている状態である。しかしながら、電気を利用した治療方法は、傷の状態、範囲、程度によってその効果が異なり、何よりも傷口に治療器具が直接接触されなければならないという接触式方法であるため、使用上の困難性から広く普及されていない実情である。同様に、超音波を利用した治療方法も電気治療と同じ理由でその使用が制限されている。
【０００３】
このように、電気治療や超音波治療時に傷口に直接接触されなければならない治療方法に対する使用上の問題が解決される場合、たくさんの患者に大きく役に立つことができ、このような方法の一つとして電流のイオン化を利用して非接触方式で皮膚組織に陰イオンが照射されるようにする方法が使用されることができる。
【０００４】
一方、陰イオン発生装置を利用して顔などの肌にスチームとともに陰イオンが供給されるようにする皮膚美容器が開発されており、周知のように、陰イオンは、肌の表面に接触すると、各種老廃物及び角質などを除去する効果がある。また、老化防止はもちろん、細胞の活性化にも大きな効果があることと知られている。
【０００５】
一般に、陰イオンを放出するためには陰イオン発生装置を内蔵するが、陰イオン発生装置で発生された陰イオンは、一定の方向性がなく、移動可能な経路も長くないという問題がある。従って、陰イオン発生装置で発生された陰イオンは、その一部だけが使用者の顔などの肌の表面に伝達されて吸着することができる。また、陰イオン発生装置で発生された陰イオンは、使用者の肌までの移動経路の途中で大気中に分布されたたくさんの陽イオンによって中和されてしまうという特性があり、使用者の肌表面に到達する時にはすでにその効果が顕著に低下するという限界があった。
【発明の概要】
【発明が解決しようとする課題】
【０００６】
従って、本発明の目的は、患部に陰イオンが集中的に照射されるようにして、速やかに患部が治癒できるようにするが、患者の体が接地による静電気誘導状態になるようにし、この状態で、患部に陰イオンが照射されるようにすれば陰イオン電荷が直進性を持って患者の体の方向に誘導されることによって、空気中の陽イオンによる陰イオンの損失量が最小化され、患部に向かう照射量は最大になって、その効果に優れた陰イオンを利用した集中治療装置を提供することにある。
【課題を解決するための手段】
【０００７】
本発明の目的は、内部にはメインボードが装着され、前面にはタッチスクリーンが備えられ、下側には、キャスターが設置される本体部と、前記本体の一側にアームヒンジによって移動可能に連結され、前記メインボードと電気的に接続される陰イオン発生ユニットが動作可能に内設されるヘッド部と、前記ヘッド部の一側に角度調節可能に連結され、前記陰イオン発生ユニットと電気的に接続され、前記陰イオン発生ユニットから発生されたイオンがその端部を通じて外部に照射されるようにする陰イオン照射部と、前記陰イオン発生ユニットと電気的に接続され、患者の体の一部に電気的に接地され、体の接地による静電気誘導現象により前記陰イオン照射部から照射される陰イオンの空気中の損失量は最小化され、患者の体の部位への照射量は最大になるようにする体接地装置とが含まされる陰イオンを利用した集中治療装置が提供されることによって達成される。
【０００８】
本発明において、前記陰イオン発生ユニットは、端子台パネルと、前記端子台パネルに実装され、陰イオンが発生される複数の陰イオンモジュールが含まれ、前記陰イオンモジュールは、前記メインボードと電源の供給が可能に接続され、前記陰イオン照射部と陰イオンの供給が可能に接続され、前記体接地装置と体の接地が可能に接続される。
【０００９】
本発明において、前記陰イオンモジュールは、電源電圧を利用して発振及び増幅動作して前記入力電圧を生成し、前記生成された入力電圧を前記変圧器に提供する発振部と、入力電圧を昇圧させて出力する変圧器と、前記変圧器の出力側一端と体に接触する電極を電気的に接続する接地部と、前記変圧器の出力側の両端に電気的に接続されて構成され、前記変圧器の昇圧電圧を高電圧に変換して出力側（ＨＶ）を通じて陰イオン照射針に提供する高電圧発生部とを含む。
【００１０】
本発明において、前記接地部は一側端子が前記出力側の一端に連結される整流素子と、前記整流素子の他側端子、前記電極に連結される接地端子とを含む。
【００１１】
本発明において、前記高電圧発生部２１２４は、前記変圧器の出力側両端の電圧を倍電圧と整流させる倍電圧整流回路を含む。
【００１２】
本発明において、前記陰イオン照射部は、前記ヘッド部側にベローズ管方式で角度調節可能に連結される一対の連結部材と、前記一対の連結部材の端部にそれぞれ設置され、陰イオンが照射される照射部材とが含まれる。
【００１３】
本発明において、前記照射部材は、前記一対の照射部材の下部面に突出して備えられ、陰イオン発生ユニットの数に対応する数で備えられ、前記陰イオン発生ユニットとそれぞれ電気的に接続され、先端が尖った針状に製造されて、その端部を通じて陰イオンが照射される陰イオン照射針と、前記一対の照射部材の下部面に点滅可能に備えられ、青色波長の光が照射される低出力光照射レンズと、前記一対の照射部材の下部面に突出して備えられ、前記陰イオン照射針よりも長く形成されて、その端部が患者の体の部位に接触される場合、前記陰イオンを利用した集中治療装置の動作が遮断されるようにするセンサーとが含まれる。
【００１４】
本発明おいて、前記複数の陰イオンモジュールの中で前記陰イオンモジュールの半分は、一側の前記陰イオン照射針と電気的に接続され、前記陰イオンモジュールの残り半分は、他側の前記陰イオン照射針と電気的に接続されるが、一側の前記陰イオン照射針と電気的に接続された前記陰イオンモジュールと、他側の前記陰イオン照射針と電気的に接続された前記陰イオンモジュールはそれぞれ独立的に前記体接地装置と電気的に接続される。
【発明の効果】
【００１５】
以上のような陰イオンを利用した集中治療装置によれば、第一に、患部に陰イオンが集中的に照射されるようにして、速やかに患部が治癒できるようにし、患者の体が接地による静電気誘導状態になるようにし、この状態で、患部に陰イオンが照射されるようにすれば陰イオン電荷が直進性を持って患者の体の方向に誘導されることによって、空気中の陽イオンによる陰イオンの損失量が最小化され、患部に向かう照射量は最大になって、その効果に優れた利点を有する。
【００１６】
第二に、青色波長、赤色波長及び赤外線波長の光が選択的に照射されることができる低出力光照射レンズが備えられて、皮膚の細胞再生、シワの改善など体に対し有益な効果が発揮されるという優れた利点を有する。
【００１７】
第三に、皮膚移植やその他皮膚再生医薬品に比べて、その使用及び施術過程が簡単な優れた特長を有する。
【図面の簡単な説明】
【００１８】
【図１】本発明の一実施例による陰イオンを利用した集中治療装置の斜視図である。
【図２】本発明の一実施例による陰イオンを利用した集中治療装置のブロック構成図である。
【図３】本発明の一実施例による陰イオンを利用した集中治療装置の使用状態図である。
【図４】本発明の一実施例による単位陰イオンモジュールの回路図である。
【図５】本発明の一実施例による単位陰イオンモジュールの斜視図である。
【図６】本発明の一実施例による陰イオンを利用した集中治療装置の接地状況によるイオン集中実験写真である。
【図７】本発明の一実施例による陰イオンを利用した集中治療装置の実験に対する比較表である。
【図８】本発明の一実施例による陰イオンを利用した集中治療装置の実験に対する比較表である。
【発明を実施するための形態】
【００１９】
以下では、本発明の好ましい実施例を添付図面を参照して詳細に説明する。ただ、これは本発明が属する技術分野において通常の知識を有する者が発明を容易に実施することができる程度に詳細に説明するためのもので、それにより、本発明の技術的思想及び範疇が限定されることを意味するのではない。
【００２０】
図１は、本発明の一実施例による陰イオンを利用した集中治療装置の斜視図であり、図２は、本発明の一実施例による陰イオンを利用した集中治療装置のブロック構成図であり、図３は、本発明の一実施例による陰イオンを利用した集中治療装置の使用状態図であり、図４は、本発明の一実施例による陰イオンを利用した集中治療装置の接地状況によるイオン集中実験写真であり、図５及び図６は、本発明の一実施例による陰イオンを利用した集中治療装置の実験に対する比較表である。
【００２１】
本発明の好ましい一実施例による陰イオンを利用した集中治療装置は、内部には、メインボードが装着され、前面にはタッチスクリーンが備えられ、下側には、キャスターが設置される本体部と、前記本体の一側にアームヒンジによって移動可能に連結され、前記メインボードと電気的に接続される陰イオン発生ユニットが動作可能に内設されるヘッド部と、前記ヘッド部の一側に角度調節可能に連結され、前記陰イオン発生ユニットと電気的に接続され、前記陰イオン発生ユニットから発生されたイオンが、その端部を通じて外部に照射されるようにする陰イオン照射部と、前記陰イオン発生ユニットと電気的に接続され、患者の体の一部に電気的に接地され、体の接地による静電気誘導現象により前記陰イオン照射部から照射される陰イオンの空気中の消失量は最小化され、患者の体部位への照射量は最大になるようにする体接地装置とが含まれる。
【００２２】
以下では、図１〜図３を参照して、本発明の好ましい一実施例による陰イオンを利用した集中治療装置１の構成要素、及びその構成要素の間の動作関係について詳細に説明する。
【００２３】
前述した本体部１０００は、後述する構成部材が動作可能に設置され、動作に必要な電源が供給され、システム全体に対する制御が行われるもので、内部にはメインボード１１００が装着され、前面にはタッチスクリーン１２０００が備えられ、下側にはキャスター１３０００が設置される。
【００２４】
メインボード１１００は、後述するヘッド部２０００、陰イオン照射部３０００、体接地装置４０００と電気的に接続され、前述したタッチスクリーン１２０００も電気的に接続されて、タッチ方式でシステム全体に対するｏｎ／ｏｆｆなどの制御が行われる。また、キャスター１３０００は陰イオンを利用した集中治療装置１の移動及び運搬を容易にし、把持可能な別途の取っ手１４０００が備えられる。
【００２５】
前述した本体の上側にはヘッド部２０００が備えされ、このヘッド部２０００は陰イオンが発生されるもので、本体とアームヒンジ２２００によって移動可能に連結され、メインボード１１００と電気的に接続される陰イオン発生ユニット２１００が動作可能に内設される。また、ヘッド部２０００には、本体部１０００と同様に、別途の取っ手２３０００が備えられる。
【００２６】
前述した陰イオン発生ユニット２１００は、端子台パネル２１１０と、端子台パネル２１１０に実装され、陰イオンが発生される複数の陰イオンモジュール２１２０が含まれる。陰イオンモジュール２１２０は、メインボード１１００と電源の供給が可能に接続され、後述される陰イオン照射部３０００と陰イオンの供給が可能に接続され、後述される体接地装置４０００と体の接地可能に接続される。
【００２７】
前述した端子台パネル２１１０に実装される複数の陰イオンモジュール２１２０の中で陰イオンモジュール２１２０の半分は、後述される二つの陰イオン照射部３０００の中で一側の陰イオン照射部３０００の陰イオン照射針３２１０と１：１に対応するように接続され、陰イオンモジュール２１２０の残り半分は、他側の陰イオン照射部３０００の陰イオン照射針３２１０と１：１に対応するように接続される。また、このように両側に分割されて陰イオン照射部３０００側とは独立的に接続された陰イオンモジュール２１２０は、同様に後述される体接地装置４０００とも独立的に分割接続される。つまり、一側の陰イオン照射部３０００側に接続された陰イオンモジュール２１２０は一つに併合されて体接地装置４０００と接続され、他側の陰イオン照射部３０００側に接続された陰イオンモジュール２１２０は他の一つに併合されて体接地装置４０００と接続される。
【００２８】
そして、前述したヘッド部２０００の下側には、陰イオン照射部３０００が角度調節可能に連結されるが、この陰イオン照射部３０００は、治療が必要な患者の体の部位に近接して位置され、陰イオン発生ユニット２１００と電気的に接続されて陰イオン発生ユニット２１００から発生されたイオンがその端部を通じて外部に照射されるようにするものである。
【００２９】
このような陰イオン照射部３０００は、ヘッド部２０００側にベローズ管方式で角度調節可能に連結される一対の連結部材３１００と、この一対の連結部材３１００の端部にそれぞれ設置され、陰イオンが照射される照射部材３２００とが含まれる。
【００３０】
前述した連結部材３１００は柔軟に角度調整が可能である。角度調節された状態で、その位置が固定されることができ、それによって体のどの部位で発生した傷でも、その傷方向に照射部材３２００が向かうように制御されることができる。
【００３１】
そして照射部材３２００は、一対の照射部材３２００の下部面に突出して備えられるが、陰イオン発生ユニット２１００の数に対応する数で備えられ、陰イオン発生ユニット２１００とそれぞれ電気的に接続され、先端が先の尖った針状に製造されて、その端部を通じて陰イオンが照射される陰イオン照射針３２１０と、一対の照射部材３２００の下部面に点滅可能に備えられるが、青色波長の光が照射される低出力光照射レンズ３２２０と、一対の照射部材３２００の下部面に突出して備えられるが、前記陰イオン照射針３２１０よりも長く形成されて、その端部が患者の体の部位に接触された場合、陰イオンを利用した集中治療装置１の動作が遮断されるようにするセンサー３２３０とが含まれる。
【００３２】
前述した陰イオン照射針３２１０は、陰イオンモジュール２１２０と１：１に接続されて陰イオンモジュール２１２０から発生された陰イオンが直接照射されるもので、陰イオンが直進性を持って照射されることができるように、その先端が尖った線形の針状に形成される。このような陰イオン照射針３２１０は、陰イオンモジュール２１２０の数の変化に対応するように設置されることができる。つまり、陰イオンモジュール２１２０の数が増加すれば、陰イオン照射針３２１０もそれに対応して増加され、逆に陰イオンモジュール２１２０の数が減少すれば、陰イオン照射針３２１０もそれに対応して減少されることができる。
【００３３】
そして、前述した低出力光照射レンズ３２２０で照射される光は青色波長の光で、電気エネルギーをＬＥＤ（Ｌｉｇｈｔ  Ｅｍｉｔｔｉｎｇ  Ｄｉｏｄｅ）に通過させて４３０ｎｍ〜４６０ｎｍの波長を有する低出力光線に変換された状態で照射され、主に殺菌の目的で使用される。
【００３４】
また、前述したセンサー３２３０は、照射部材３２００が皮膚に必要以上に近接されたとき、陰イオン照射針３２１０よりも先に肌に接触して、患者が陰イオン照射針３２１０に形成された高圧の電流に露出されることを防止することができる。このようなセンサ３２３０は、従来技術による近接センサまたは接触センサであることが好ましい。
【００３５】
一方、前述した陰イオン発生ユニット２１００には体接地装置４０００が電気的に接続されるが、この体接地装置４０００は、患者の体の一部に電気的に接地され、体の接地による静電気誘導現象により陰イオン照射部３０００から照射される陰イオンの空気中の損失量は最小化され、患者の体の部位への照射量は最大になるようにする。このような体接地装置４０００は、図面に示したように、患者の指に接地されることもできるが、様々な体の部位に接地されることもでき、その形状も多様な体の部位に接地可能な形態に製造されることができる。
【００３６】
体接地装置４０００によって患者の体に静電気誘導作用が発生すると、陰イオンが急速に患者の皮膚に向かって移動し、移動中に空気中の陽イオンによって中和される陰イオンが最小化される一方、患者の体部位に関係なく照射部材３２００と近接した距離にある部位に陰イオンが集中的に照射されることができる。これは避雷針が落雷を吸収する原理と同じで、接地された体の部位に陰イオンが急速に照射することができる。
【００３７】
以下では、図４及び図５を参照して、本発明による陰イオンモジュールについてより詳細に説明する。まず、図４は、本発明の一実施例による単位陰イオンモジュールの回路図であり、図５は、本発明の一実施例による単位陰イオンモジュールの斜視図である。
【００３８】
発振部２１２１は、図６に示すように、例えば、コルピッツ発振回路やハートレー発振回路の変形された回路を含む。発振部２１２１はメインボード１１００に連結され、発振及び増幅動作を実行するＴＲ（Ｑ１）と、ＴＲ（Ｑ１）のベースとエミッタとの間に連結されたキャパシターＣ２とを含み、ＴＲ（Ｑ１）のエミッタ端子は接地される。そして、ＴＲ（Ｑ１）のコレクタ端子は変圧器２１２２の第１端子（ｅｘ．３番ピン）と、ベース端子は変圧器２１２２の第２端子（ｅｘ．４番ピン）に連結される。発振部２１２１の電源電圧端子は、図４で陰イオンモジュール２１２０の第１電線２１２０ａと第２電線２１２０ｂにそれぞれ連結されている端子であり、陰イオンモジュール２１２０は、図４の第１電線２１２０ａ及び第２電線２１２０ｂを通じてメインボード１１００に連結された電源部（図示しない）からＤＣ５Ｖの電圧が提供される。前記のＴＲ（Ｑ１）はＦＥＴなどで代替することができるので、本発明の実施例ではＴＲ（Ｑ１）に特に限定しない。
【００３９】
変圧器２１２２は電圧変換部で、例えば昇圧トランスを含む。変圧器２１２２の入力側端子、つまり１次コイルには発振部２１２１が電気的に接続されて構成され、出力側端子、つまり２次コイルには、接地部２１２３と高電圧発生部２１２４が電気的に接続されて構成されている。
【００４０】
接地部２１２３は、変圧器２１２２の出力側の一端子に連結された整流素子、例えばダイオードと、ダイオードのカソード端子に連結された接地端子を含む。ここで、接地端子は接地線によって体の一部に電気的に接続する。接地端子は、図１及び図２に示すように、第３電線２１２０ｃによってリードされて、体接地装置４０００を通じて体に接続される。説明の便宜のために、ダイオードを例に挙げたが、例えば、ＴＲやＦＥＴもダイオードのように使用することはいくらでも可能であるので、本発明の実施例では、ダイオードに特に限定しない。例えば、ＴＲの場合、ベースとコレクターを互いに連結すれば、ダイオードのように使用することができる。
【００４１】
高電圧発生部２１２４は、本発明の実施例によって２倍電圧整流回路を含む。変圧器２１２２の出力側の他端子に逆方向に直列連結されたダイオードＤ２、Ｄ３と、ダイオードＤ３のアノードに連結された抵抗Ｒ３を含み、直列連結された二つのダイオードＤ２、Ｄ３と変圧器２１２２の出力側の一端子にそれぞれ連結されたキャパシターＣ３とを含む。このように、高電圧発生部２１２４は、変圧器２１２２の出力側の両端（子）に電気的に連結されて構成される。抵抗Ｒ３は、高電圧を受けて陰イオンを発生させる陰イオン照射針３２１０に連結される。第４電線２１２０ｄは、高電圧発生部２１２４の出力側ＨＶでリードされて陰イオンの照射針３２１０に連結される。高電圧発生部２１２４は、陰イオン照射針３２１０でオゾンが発生しない範囲の高電圧を生成することが好ましい。
【００４２】
前記の構成によって、ＤＣ５Ｖ電圧が印加されると、ＴＲ（Ｑ１）で瞬間的な電流が流れるようになるが（ｅｘ．Ｔ１の２、３番コイル）、この電流により変圧器２１２２の４番、１番で誘起される電圧が発生する。この誘起電圧をＴＲ（Ｑ１）のベースで連結して増幅することができるよう極性を裏返すと、一度生じたパルスによる動作が繰り返されて、電源が供給されている限り永久に動作するようになる。このように生じた発振動作で変圧器２１２２の１０番、６番で誘起される電圧（ｅｘ．コイルの巻数に応じて数百〜数千倍、４０００Ｖ未満）が発生するようになる。このように発生した高電圧（ｅｘ．交流パルス形態）をダイオードＤ２、Ｄ３を通じて倍電圧（ｅｘ．２倍電圧、約５０００Ｖ〜６５００Ｖ）及び整流（ｅｘ．２５００Ｖ〜３０００Ｖ）して、高電圧発生部２１２４の出力側ＨＶで第４電線２１２０ｄによってリードされて陰イオン照射針３２１０を通じて陰イオンが放出される。
【００４３】
つまり、変圧器２１２２の１０番端子に正（＋）の電圧がかかると、双極性の電荷はグランドに流れるようになり、逆に、負（−）の電圧がかかると、その負の電圧は、高電圧発生部２１２４の出力側ＨＶから陰イオン照射針３２１０に印加される。印加された電圧によって陰イオン照射針３２１０を通じて陰イオンが放出される。この過程で接地部２１２３は、体接地装置４０００を通じて体（ｅｘ．指）に接地されることによって、高電圧発生部２１２４の高電圧によって発生した陰イオンが静電誘導作用により直進性を帯びるようになることで、大気中で陽イオンによって中和されず、体の部位に集中的に照射されるようになる。
【００４４】
以下、図６〜図８を参照して本発明の好ましい一実施例による陰イオンを利用した集中治療装置１の使用による試験例について詳細に説明する。
【００４５】
【表１】
2020503940.tif 000003
【００４６】
表１及び図６によれば、本発明による陰イオンを利用した集中治療装置１の電源が印加されず、患者の体の接地が行われていない場合（写真ａ）、測定された空気中のイオン量は７万イオン／ｃｃに測定された。
【００４７】
そして、本発明による陰イオンを利用した集中治療装置１の電源は印加されたが、患者の体の接地は行われていない場合（写真ｂ）、照射部材３２００から患者の皮膚に向かって照射されるイオンの発生量は７０万ｉｏｎ／ｃｃに測定された。
【００４８】
また、本発明による陰イオンを利用した集中治療装置１の電源が印加され、患者の体の接地も行われた場合（写真ｃ）、照射部材３２００から患者の肌に向かって照射されるイオンの発生量は１６３１万ｉｏｎ／ｃｃに測定された。
【００４９】
これは、体接地装置４０００を通じた体の接地によって照射部材３２００から患者の肌に向かって照射される陰イオンの量が２３．３倍増加されたことが分かることができる。
【００５０】
次に、図７及び図８によれば、この実験は、豚の皮膚組織に任意の創傷を誘導した後、陰イオン治療器（本発明による陰イオンを利用した集中治療装置１、以下同じ）と傷の治療に用いられる貼るバンド方式の公知の治療剤であるムンディファーマ（製造元：Ｇｅｎｅｗｅｌ／販売元：日東製薬）を利用した傷の治療効果に対する比較実験である。
【００５１】
まず、陰イオン治療器は、傷口に最大に接近させた状態で、０日、４日、７日、１０日、１４日、１７日、２１日、２５日、２８日、３１日、３５日目に３０分間陰イオンが照射されるようにしており、この時、実験対象物である豚に静電誘導のための接地が行われた状態で実験が行われた。
【００５２】
また、ムンディファーマは同様に０日、４日、７日、１０日、１４日、１７日、２１日、２５日、２８日、３１日、３５日の間新しいもので交換して傷口に貼った。
【００５３】
図７は、０日、４日、７日、１０日、１４日、１７日、２１日、２５日、２８日、３１日、３５日の間陰イオン治療器を利用して治療された傷とムンディファーマを利用して治療された傷が日付別に撮影されたイメージである。
【００５４】
図８は０日、４日、７日、１０日、１４日、１７日、２１日、２５日、２８日、３１日、３５日の間陰イオン治療器を利用して治療された傷とムンディファーマを利用して治療された傷口の面積に対する変化値が示されたグラフである。
【００５５】
【表２】
2020503940.tif 000004
【００５６】
また、前記表２は、傷口に対する日付別面積比を計算したもので、面積比＝各期間別測定面積／全面積（３＊３ｃｍ）＊１０００で計算した。
【００５７】
従って、前記表２とグラフによれば、陰イオン治療器を利用した治療方法は、ムンディファーマを利用した治療方法と類似する治療効果を表したが、４日目まではムンディファーマを利用した治療方法が多少効果的であることが表れたが、７日目から３５日目までは陰イオン治療器を利用した治療方法がムンディファーマを利用した治療方法よりもより効果的であることが確認される。
【００５８】
以上のような陰イオンを利用した集中治療装置１は、患部に陰イオンが集中的に照射されるようにして、速やかに患部が治癒できるようにするが、患者の体が接地による静電気誘導状態になるようにし、この状態で、患部に陰イオンが照射されると陰イオンの電荷が直進性を持って患者の体の方向に誘導されることによって、空気中の陽イオンによる陰イオンの損失量が最小化され、患部に向かう照射量は最大になって、その効果が優れている。
【００５９】
また、低出力光線である青色波長の光が照射される低出力光照射レンズ３２２０が備えられて、肌の殺菌のような体に有益な効果が発揮される。また、皮膚移植やその他の皮膚再生医薬品に比べて、その使用及び施術手順が簡単である。
【００６０】
以上、各種実施例が例示的に説明されたにもかかわらず、本発明は、その趣旨及びカテゴリから逸脱することなく他の多様な形態で具体化されることができるという事実は、当該技術に通常の知識を有する者にとって自明である。従って、前述した実施例は限定的なものではなく例示的なものであり、特許請求範囲及びその同等範囲内での全ての実施には本発明の範疇に含まれるとすべきである。
【符号の説明】
【００６１】
１：陰イオンを利用した集中治療装置
１０００：本体部
１１００：メインボード
１２００：タッチスクリーン
１３００：キャスター
１４００：取っ手
２０００：ヘッド部
２１００：陰イオン発生ユニット
２１１０：端子台パネル
２１２０：陰イオンモジュール
２１２１：発振部
２１２２：トランス
２１２３：接地部
２１２４：高圧発生部
２２００：アームヒンジ
３００：取っ手
３０００：陰イオン照射部
３１００：連結部材
３２００：照射部材
３２１０：陰イオン照射針
３２２０：照射レンズ
３２３０：センサー
４０００：体接地装置
【図１】
2020503940.tif 000005
【図２】
2020503940.tif 000006
【図３】
2020503940.tif 000007
【図４】
2020503940.tif 000008
【図５】
2020503940.tif 000009
【図６】
2020503940.tif 000010
【図７】
2020503940.tif 000011
【図８】
2020503940.tif 000012
【国際調査報告】
2020503940.tif 000013
2020503940.tif 000014
2020503940.tif 000015
2020503940.tif 000016